(57)【特許請求の範囲】
【請求項１】
先端開口部に転写ヘッドを突出して保持する塗布具本体と、この塗布具本体内に内装され、パンケーキに巻回される未使用の転写テープを転写ヘッドに送出し、使用済みとなった転写テープを巻取りリールに巻取る塗布具において、上記パンケーキをパンケーキ軸に大ギアと共に軸着するに当たって、塗布具本体内壁面に一体に立設され、互いに対向するように径方向に突出しつつ軸方向に形成する突条縁を突設してなるパンケーキ軸に対して、その中央において径方向に拡開自在となり、互いに対向する位置に複数配設される弾性係止片を有する大ギアを回転自在に挿嵌し、大ギア中央の互いに対向する位置に配設される複数の弾性係止片がパンケーキ軸の突条縁により拡開しつつパンケーキの内壁面に弾性を持って圧着することで一体に連動してなる塗布具のクラッチ構造。
【発明の詳細な説明】
【０００１】
【発明が属する技術分野】
この発明は、転写テープの表面に有する修正塗料や糊料等を転写ヘッドにより被転写面に対して押圧しつつスライドさせることで転写、塗布してなる塗布具のクラッチ構造に関する。
【０００２】
【従来の技術】
従来、転写テープの表面に有する修正塗料や糊料等を転写ヘッドにより被転写面に対して押圧しつつスライドさせることで転写、塗布してなる塗布具において、この塗布具を塗布具本体と共に構成する転写テープ送出、巻取り機構を構成することとなるパンケーキ及び大ギア、更にはこれらを一体の軸着保持するパンケーキ軸においては、塗布具本体の内壁面に一体に形成されるパンケーキ軸に対して大ギア中央に突設する略円筒状とした保持部を回転自在に挿嵌した上で、パンケーキを構成するコアを、例えば弾性体よりなるＯ−リングを挟持しつつ、又はコアと一体に形成される複数の弾性係止片の把持により、上記大ギア中央の略円筒状の保持部に対して装着することにより、大ギアとパンケーキとを一体に連動させ、またある以上のトルクがかかった場合には、大ギア中央の略円筒状の保持部に対して装着される弾性体よりなるＯ−リング又は複数の弾性係止片が滑って大ギアに噛合する巻き取りリールと同軸上に軸着される小ギアの過回転を阻止して、このパンケーキに巻回される未使用の転写テープの切断等の不具合を防止するものが一般的である。
【０００３】
【発明が解決しようとする課題】
しかしながら、上記従来の塗布具本体内に内装される転写テープ送出、巻取り機構を構成し、塗布具本体内壁面に一体に形成されるパンケーキ軸に対して、パンケーキ及び大ギアを、例えば弾性体よりなるＯ−リングを介して、又はコアと一体に形成される複数の弾性係止片による把持により一体に連動するように軸着保持するものにあっては、パンケーキを巻回する未使用の転写テープと共に構成するコアに対して、大ギアの中央の略円筒形状の保持部は、弾性体であるＯ−リングを挟持しつつ、又はコアと一体に形成されることとなる複数の弾性係止片による把持により、大ギアの中央の略円筒形状の保持部の外周をコア内壁面に密着させながらその摩擦を以て一体に回転自在に軸着されているものであるから、長期間の使用による疲労によってこのパンケーキのコアと大ギアの保持部との間の摩擦力がクリープ現象を引き起こして低下し、十分な回転力を伝達できなくなって正確な転写テープの送出、巻取り動作を行えなくなることがある。
【０００４】
また、塗布具を現行の転写テープ送出、巻取り機構を構成する部品点数、特にパンケーキ軸に対してパンケーキと大ギアをＯ−リングにより同軸上に軸着する場合は、その部品点数が多い上、特に挟持するＯ−リングによりパンケーキを未使用の転写テープと共に構成するコアと大ギアの保持部との間で摩擦を確保して一体に連動するように挟持されることとなるＯ−リングは弾性体であって、小さいものであるため、指等により簡易且つ確実に把持し難いものであり、その組立て作業を非常に困難なものとさせ易いものであるため、塗布具の組立作業においてその作業性を著しく低下させるものとなって、製品である塗布具の製造コストが上昇してしまう問題点がある。
【０００５】
そこで、この発明は上記従来のものの有する問題点を解決するものであり、簡単な構造により、パンケーキのコアと大ギアの保持部との間の摩擦がクリープ現象により低下することを防止すると共に、部品点数を減らし、組み立て作業における作業性を向上させることで、その製造コストの削減を図ろうとするものである。
【０００６】
【課題を解決するための手段】
そのために、先端開口部に転写ヘッドを突出して保持する塗布具本体と、この塗布具本体内に内装され、パンケーキに巻回される未使用の転写テープを転写ヘッドに送出し、使用済みとなった転写テープを巻取りリールに巻取る塗布具において、上記パンケーキをパンケーキ軸に大ギアと共に軸着するに当たって、塗布具本体内壁面に一体に立設され、互いに対向するように径方向に突出しつつ軸方向に形成する突条縁を突設してなるパンケーキ軸に対して、その中央において径方向に拡開自在となり、互いに対向する位置に複数配設される弾性係止片を有する大ギアを回転自在に挿嵌し、大ギア中央の互いに対向する位置に配設される複数の弾性係止片がパンケーキ軸の突条縁により拡開しつつパンケーキの内壁面に弾性を持って圧着することで一体に連動してなるものである。
【０００７】
【発明の実施の形態】
この発明は上記のように構成されるから、実施にあたり未使用の転写テープを巻回するパンケーキのコアと、パンケーキ軸と同軸上に回転自在に軸着される大ギアとは、大ギア中央に有する互いに対向する位置に配設される複数の弾性係止片のうち互いに対向する位置に配置される弾性係止片が、パンケーキ軸において、互いに対向するように十字の位置において径方向に突出しつつ軸方向に形成するように突設してなる突条縁により順次拡開、閉成をすることによってパンケーキのコア内壁面に断続的に弾性を以て圧着することとなるので、パンケーキ軸に同軸上に回転自在に軸着され、このパンケーキのコアと大ギアの弾性係止片との弾性を以ての圧着でパンケーキ及び大ギアは一体に連動することとなる。
【０００８】
また、これらパンケーキと大ギアとの弾性を以ての圧着は、順次拡開、閉成をする突条縁によってパンケーキのコア内壁面との間で断続的に行われるものとなるので、長期間の使用によっても疲労し難く、このパンケーキのコアと大ギアの弾性係止片との間に発生する摩擦力は低下することがなく、クリープ現象の発生を抑制できるので、確実なパンケーキと大ギア、更にはこの大ギアと互いに噛合する巻取りリールギア及び、この巻取りリールギアと共に巻取りリール軸において同軸上に軸着される巻取りリールとの連動も確実に行われることとなる。
【０００９】
なお、パンケーキを大ギアと共にパンケーキ軸において同軸上に軸着しようとする場合には、パンケーキ軸に対してそのまま大ギア及びパンケーキを挿嵌することにより、大ギア中央に有する互いに対向する位置に配設される複数の弾性係止片のうち互いに対向する位置に配置される弾性係止片が、パンケーキ軸において、互いに対向するように十字の位置において径方向に突出しつつ軸方向に形成するように突設してなる突条縁により拡開することによってパンケーキのコア内壁面に弾性を以て圧着するので、一体的に連動するように軸着されるものである。
【００１０】
【実施例】
この発明を図に示す実施例により更に説明する。（１）はこの発明の実施例を具える塗布具であり、この塗布具（１）は、先端開口部（３）に転写ヘッド（４）を突出して保持する塗布具本体（２）と、この塗布具本体（２）内に内装され、環状のコア（７）に未使用の転写テープ（８’）を巻回してなるパンケーキ（６）に巻回される未使用の転写テープ（８’）を転写ヘッド（４）に送出し、転写ヘッド（４）において修正塗料や糊料等を転写した後、使用済みとなった転写テープ（８”）を巻取りリール（９）において、パンケーキ（６）及び巻取りリール（９）と共に、各々パンケーキ軸（１０）及び巻取りリール軸（１１）と同軸上に回転自在に軸着され、互いに噛合することとなる大ギア（１２）及び巻取りリールギア（１３）による駆動により巻回、収容してなる転写テープ送出、巻取り機構（５）から構成される。
【００１１】
そして、この発明の実施例を具える塗布具（１）を塗布具容器（２）とともに構成する転写テープ送出、巻取り機構（５）において、上記パンケーキ（６）をパンケーキ軸（１０）に大ギア（１２）と共に軸着するに当たって、塗布具本体（２）内壁面（２’）に一体に立設され、互いに対向するように十字の位置において径方向に突出しつつ軸方向に形成する突条縁（１４）を突設してなるパンケーキ軸（１０）に対して、その中央において径方向に拡開自在となり、互いに対向する位置に複数配設される弾性係止片（１５）を有する大ギア（１２）を回転自在に挿嵌することにより、大ギア（１２）中央に有する互いに対向する位置に配設される複数の弾性係止片（１５）がパンケーキ軸（１０）の突条縁（１４）により拡開しつつパンケーキ（６）のコア内壁面（７’）に弾性を持って圧着することで一体に連動させてなるものである。
【００１２】
この発明の実施例である塗布具（１）が以上の構成を具えるので、使用者がこの塗布具（１）を使用すると、未使用の転写テープ（８’）を巻回するパンケーキ（６）のコア（７）と、パンケーキ軸（１０）と同軸上に回転自在に軸着される大ギア（１２）とは、大ギア（１２）中央に有する互いに対向する位置に配設される複数の弾性係止片（１５）のうち互いに対向する位置に配置される弾性係止片（１５’）（１５’）が、パンケーキ軸（１０）において、互いに対向するように十字の位置において径方向に突出しつつ軸方向に形成するように突設してなる突条縁（１４’）（１４’）により順次拡開、閉成をすることによってパンケーキ（６）のコア内壁面（７’）に断続的に弾性を以て圧着することとなるので、パンケーキ軸（１０）に同軸上に回転自在に軸着され、このパンケーキ（６）のコア（７）と大ギア（１２）の弾性係止片（１５）との弾性を以ての圧着でパンケーキ（６）及び大ギア（１２）は一体に連動することとなって、パンケーキ（６）のコア（７）に巻回される未使用の転写テープ（８’）を円滑に塗布具本体（２）の先端開口部（３）に突出して保持される転写ヘッド（４）へ送出し、転写ヘッド（４）を経て使用済みとなった転写テープ（８”）を大ギア（１２）に噛合する巻取りリールギア（１３）と巻取りリール軸（１１）の同軸上に軸着される巻取りリール（９）に確実に巻回、収容されるものとなる。
【００１３】
また、塗布具（１）を構成する塗布具本体（２）内に内装される転写テープ送出、巻取り機構（５）において、未使用の転写テープ（８’）をコア（７）に巻回してなるパンケーキ（６）と、このパンケーキ（６）と共にパンケーキ軸（１０）と同軸上に軸着されることとなる大ギア（１２）との、大ギア（１２）中央に有する複数の弾性係止片（１５）による弾性を以ての圧着は、順次パンケーキ軸（１０）の突条縁（１４）による大ギア（１２）中央の弾性係止片（１５’）の拡開、閉成により断続的に行われるものであるので、長期間の使用によっても、このパンケーキ（６）のコア（７）と大ギア（１２）の弾性係止片（１５’）との間での疲労を防止して、両者間での摩擦力は低下することがなく、クリープ現象の発生を抑制できるので、確実なパンケーキ（６）と大ギア（１２）の連動を確実に確保することとなるものである。
【００１４】
なお、この塗布具（１）を組み立てようと、パンケーキ（６）を大ギア（１２）と共にパンケーキ軸（１０）において同軸上に軸着しようとする場合には、パンケーキ軸（１０）に対してそのまま大ギア（１２）及びパンケーキ（６）を挿嵌することにより、大ギア（１２）中央に有する互いに対向する位置に配設される複数の弾性係止片（１５）のうち互いに対向する位置に配置される弾性係止片（１５’）（１５’）が、パンケーキ軸（１０）において、互いに対向するように十字の位置において径方向に突出しつつ軸方向に形成するように突設してなる突条縁（１４’）により拡開することによってパンケーキ（６）のコア内壁面（７’）に弾性を以て圧着するので、一体的に連動するようにパンケーキ軸（１０）に軸着されるものとなる。
【００１５】
【発明の効果】
以上のとおり構成することで、塗布具本体内に内装される転写テープ送出、巻取り機構を構成する未使用の転写テープをコアに巻回するパンケーキを、このこのパンケーキの未使用の転写テープの送出に合わせて、使用済みの転写テープを巻回、収容する巻取りリールと共に巻取りリール軸に軸着される巻取りリールギアに噛合する大ギアとをパンケーキ軸に軸着するに当たって、パンケーキ軸に大ギア及びパンケーキを順次挿嵌することにより、パンケーキ軸の突条縁により外方に拡開する大ギア中央の弾性係止片がパンケーキのコア内壁面と圧着するので、容易にパンケーキと大ギアとは一体に連動するように組み立てることができると共に、パンケーキのコア内壁面と圧着する大ギアの弾性係止片とは断続的に圧着するので長期間の使用によっても疲労の発生を抑制して摩擦力の低下を防止できるので、クリープ現象の発生することを防止でき円滑な転写テープの送出、巻取りを行うことができる優れた効果を有するものである。
【図面の簡単な説明】
【図１】この発明の実施例である塗布具の正面図である。
【図２】この発明の実施例である塗布具の分解正面図である。
【図３】この発明の実施例である塗布具を構成する塗布具本体のパンケーキ軸の分解斜視図である。
【図４】この発明の実施例である塗布具のパンケーキの回転状態を示す正面図である。
【符号の説明】
１  塗布具
２  塗布具本体
２’  塗布具本体内壁面
３  開口部
４  転写ヘッド
５  転写テープ送出、巻取り機構
６  パンケーキ
７  コア
７’  コア内壁面
８  転写テープ
８’未使用の転写テープ
８”使用済みの転写テープ
９  巻取りリール
１０  パンケーキ軸
１１  巻取りリール軸
１２  大ギア
１３  巻取りリールギア
１４  突条縁
１５、１５’  弾性係止片
【図１】
0004228327.tif 000002
【図２】
0004228327.tif 000003
【図３】
0004228327.tif 000004
【図４】
0004228327.tif 000005